(57)【要約】      （修正有）【課題】設置する空間に応じてタオル等ホルダー本体を単独で使用し、又はタオル等ホルダー本体取付けベースに複数のタオル等ホルダー本体を係止して使用することのでき、空いている壁やドアに掛けて使用することのできる。【解決手段】タオル等をくるくると巻いて個々にタオル等ホルダーユニットに収納するものであり、ステンレス等の防錆線材またはプラスチック被覆した防錆線材等からなるタオル等ホルダー本体、又はプラスチックで形成されたタオル等ホルダー本体に、背面に係止部を形成すると共に、前面との間にタオル等を保持するＵ字状のホルダー部を一体的に形成し、該係止部をタオル等ホルダー本体取付けベースに係止できるようにすると共に前面部に表示部を形成したことを特徴とする。【選択図】図１
0003127131.tif 000002
【実用新案登録請求の範囲】
【請求項１】
ステンレス等の防錆線材またはプラスチック被覆した防錆線材等からなるタオル等ホルダー本体、又はプラスチックで形成されたタオル等ホルダー本体に、背面に係止部を形成すると共に、前面との間にタオル等を保持するＵ字状のホルダー部を一体的に形成し、該係止部をタオル等ホルダー本体取付けベースに係止できるようにすると共に前面部に表示部を形成したことを特徴とするタオル等ホルダーユニット。
【請求項２】
ステンレス等の防錆線材またはプラスチック被覆した防錆線材等からなるタオル等ホルダー本体の係止部は、逆Ｕ字状に形成され、先端部をタオル等ホルダー本体取付けベースのパイプ材に穿孔された孔部に差し込んで固定できるように構成し、又は取付け面が鉄板製であれば先端部に固定されたマグネットによっても容易に取り付けられるように構成したことを特徴とする請求項１記載のタオル等ホルダーユニット。
【請求項３】
プラスチック等からなるタオル等ホルダー本体の係止部は、逆Ｕ字状に形成され、先端部をタオル等ホルダー本体取付けベースのパイプ材に引掛けて固定できるように構成し、又は取付け面が鉄板製であれば先端部に固定されたマグネットによっても容易に取り付けられるように構成したことを特徴とする請求項１記載のタオル等ホルダーユニット。
【考案の詳細な説明】
【技術分野】
【０００１】  本考案はタオル等ホルダーユニットに関し、特にタオル等をくるくると巻いて個々にタオル等ホルダーユニットに収納するものであり、設置する空間に応じてタオル等ホルダー本体を単独で使用し、又はタオル等ホルダー本体取付けベースに複数のタオル等ホルダー本体を係止して使用することのできるタオル等ホルダーユニットであって、空いている壁やドアに掛けて使用することのできるタオル等ホルダーユニットに関する。
【背景技術】
【０００２】  一般に市販されている衣類や小物等を入れるケースは種々考案されており、洗面所や浴室の着替え所又はクローゼット内部に設置可能と思われる組立収納ケース等がある。【０００３】
【特許文献１】  特開昭６１−３３９２９号公報
【実用新案文献１】
登録実用新案公報第３０３７０２０号
【考案の開示】
【考案が解決しようとする課題】
【０００４】  前記せる特開昭６１−３３９２９号公報によれば、保管箱を組立てて積み重ねすることはできるが、タオル等は折りたたまれて保管箱内に収納されている。また、前記せる登録実用新案公報第３０３７０２０号によれば多段式の組立収納ケースであるが、収納物は折りたたんで収納するものである。【０００５】  したがって、従来の収納ケースの欠点は、大きさや形状の異なるタオル等を収納するのに適しておらず、重ねて積まれたタオル等の中から一枚を取ろうとするとき、最上部にあるタオル等は片手で容易にとれるが、真ん中や他のタオル等に挟まれたタオル等を引っ張って取ろうとしても上下に積まれたタオル等が一緒に出てきてしまい、不便であった。
畳んで積まれたタオル等を取り出すときは両手で作業をすることになり、高齢者や身体に障害がある場合は、積み重ね式の保管は不適当であり、下の方に置かれたタオル等はほとんど使われなくなり衛生面からも不適当である。【０００６】  また、従来はタオルをしまうケースやラックで壁掛け用のものはなく、お気に入りのタオル、かわいい柄や綺麗な刺繍の入ったタオル、ラッキーカラーのタオル、名前入りのタオルなど、気に入っているタオルをしまったままにしておくのは、もったいないし、使用者はできれば部屋のインテリアとして、見せながら使いたい要望があるが、そのようなお気に入りのタオルを飾る適当なケースはなかった。【０００７】  また、タオルも歯ブラシ感覚で、一人ひとり別々に使うようにしたいが、家族全員分のタオルを個々の使用者が確認できるように掛けるスペースは少なく、これを解決する必要がある。【０００８】  更に、家族でタオル等を共用として使うと、例えば家族の一人が結膜炎等になっていると共用タオル等が菌を移す媒体となってしまうことがあり、この事態も解消する必要がある。【０００９】  また、掃除などして、一日に何度もタオルで手を拭いて、タオル自体が汚れてしまい、すぐ取り替えたい時に、また、赤ちゃんのいる家庭では、ハンドタオルは、一日に何枚も使うものなので、すぐ取り替えたい時に、手の届くところにタオルが取り易くなっていれば好都合である。【００１０】  毎日使うタオルの出し入れを片手でもできるようにしたいが、従来は畳んで積んであったので、使用者は不便を感じており、タオルをしまうスペースや置くスペースが無いような場所にも、どうしても必要というとき、空いている壁やドアにタオルを設置することができれば好都合である。
【課題を解決するための手段】
【００１１】  本考案は前記せるような幾多の課題を解決するために創案されたものであり、タオル等をくるくると巻いて個々にタオル等ホルダーユニットに収納するものであり、ステンレス等の防錆線材またはプラスチック被覆した防錆線材等からなるタオル等ホルダー本体、又はプラスチックで形成されたタオル等ホルダー本体に、背面に係止部を形成すると共に、前面との間にタオル等を保持するＵ字状のホルダー部を一体的に形成し、又は巻いたタオルがくびれて落ちるのを防ぐために補助ホルダー部を一体的に形成し、係止部をタオル等ホルダー本体取付けベースに係止できるようにすると共に前面部に表示部を形成したことを特徴とし、ステンレス等の防錆線材またはプラスチック被覆した防錆線材等からなるタオル等ホルダー本体の係止部は、逆Ｕ字状に形成され、先端部をタオル等ホルダー本体取付けベースのパイプ材に穿孔された孔部に差し込んで固定できるように構成し、又は取付け面が鉄板製であれば先端部に固定されたマグネットによっても容易に取り付けられるように構成したことを特徴とし、且つ、プラスチック等からなるタオル等ホルダー本体の係止部は、逆Ｕ字状に形成され、先端部をタオル等ホルダー本体取付けベースのパイプ材に引掛けて固定できるように構成し、又は取付け面が鉄板製であれば先端部に固定されたマグネットによっても容易に取り付けられるように構成したことを特徴とするタオル等ホルダーユニットを提供するものである。
【考案の効果】
【００１２】  本考案のタオル等ホルダーユニットは、従来のように畳んで積み重ねるものではなく、くるくると巻いて個々に収納するものであるから、タオル等ホルダーユニットの寸法も、バスタオルやハンドタオルの大きさに応じて作成することができ、複数のタオル等ホルダーユニットの組合せも設置場所の空隙部の大きさに応じて組み合わせることができ、使いたい色や柄を使用者が一目でわかるようにすることができる。【００１３】  障害者の方が片手で出し入れできるので便利な用品とすることができ、表示プレートには、例えば、洗面用、トイレ用、来客用等の表示を設けることができ、一枚一枚単独で収納することができるので、衛生的である。【００１４】  壁掛けタイプになっているので、クローゼットの中や部屋の空きスペース、壁やドアに掛けて設置することができ、表示部に名前や使用目的を表示しておくことができ、かわいい模様を表面に形成することができ、人の視覚的な効果も期待でき、かつ清掃もし易い。【００１５】  また、本考案のタオル等ホルダーユニットは幅広く応用することができ、例えば、家族のパジャマ入れ、普段着入れ、Ｔシャツ入れなどにも応用できる。
【考案を実施するための最良の形態】
【００１６】  以下、図面に示す実施例に基づき、本考案の具体的な構成を説明する。
図面に於いて、図１は巻いたタオルを保持した状態のタオル等ホルダーユニットの斜視図、図２は巻いたタオルを保持した状態のタオル等ホルダーユニットの斜視図、図３は巻いたタオルを保持した状態のタオル等ホルダーユニットの斜視図、図４は巻いたタオルを保持した状態のタオル等ホルダーユニットの斜視図である。図５はタオル等収納ユニット取付けベースにタオル等ホルダーユニットを複数個取付けた斜視図である。【００１７】  図１に示すように、タオル等１をくるくると巻いて個々にタオル等ホルダー本体２に収納するものであり、ステンレス等の防錆線材またはプラスチック被覆した防錆線材等からなるタオル等ホルダー本体２、又は図３に示すように、プラスチックで形成されたタオル等ホルダー本体４に、背面にそれぞれ係止部２２，４２を形成すると共に、前面との間にタオル等を保持するＵ字状のホルダー部２１，４１を一体的に形成し、係止部２２，４２をタオル等ホルダー本体取付けベース６に係止することができる。【００１８】  図１に示すように、前面に表示部２３が形成されており、ステンレス等の防錆線材またはプラスチック被覆した防錆線材等からなるタオル等ホルダー本体２の係止部２２は、逆Ｕ字状に形成され、先端部をタオル等ホルダー本体取付けベース６のパイプ材６２に穿孔された孔部６３に差し込んで固定できるように構成されている。【００１９】  図２に示すように、取付け面が鉄板製であれば先端部に固定されたマグネット３によっても容易に取り付けられるように構成されている。【００２０】  また、図１乃至図２に示すように、巻いたタオルが弛んで落ちるのを防ぐために補助ホルダー部２１１を複数本一体的に形成することもできる。【００２１】  図３に示すように、プラスチック等からなるタオル等ホルダー本体４の係止部４２は、逆Ｕ字状に形成され、先端部をタオル等ホルダー本体取付けベース６のパイプ材６２に引掛けて固定できるように構成されている。【００２２】  図４に示すように、取付け面が鉄板製であれば先端部に固定されたマグネット５によっても容易に取り付けられるように構成されている。また、タオル等ホルダー本体４の裏面に突起４５を設け、タオル等ホルダー本体４の取り付けを安定させることができる。【００２３】  また、図３乃至図４に示すように逆Ｕ字状の係止部４２の内側には、突起部４２１が一体的に固定されており、該突起部４２１がタオル等ホルダーユニット取付けベース６のパイプ材６２の孔部に装着され強固に固定される。【００２４】  図５に示すように、タオル等ホルダー本体取付けベース６は、パイプ枠６１に数段に固定したパイプ材６２で構成されている。そして該タオル等ホルダー本体取付けベース６の隅部に固定されたマグネット６５は、鉄製ドア６６等に取付ける場合にも有効であり、取付け部が木製等の場合はタオル等ホルダー本体取付けベース６の上部に着脱自在に取り付けられた係止用逆Ｕ字状部材６４にてタオル等ホルダー本体取付けベース６を取付けることができる。【００２５】  以上説明したような本考案のタオル等ホルダーユニットによれば、前述する効果のほかにも様々な応用価値を有するものである。例えば、出勤前の身支度も予めセッティングされた本考案のタオル等ホルダーユニットを利用すれば機敏に用意することができる。例えば、下着類、ワイシャツ、靴下、ハンカチ等もセッティングすることができる。
【図面の簡単な説明】
【００２６】
【図１】巻いたタオルを保持した状態のタオル等ホルダーユニットの斜視図である。
【図２】巻いたタオルを保持した状態のタオル等ホルダーユニットの斜視図である。
【図３】巻いたタオルを保持した状態のタオル等ホルダーユニットの斜視図である。
【図４】巻いたタオルを保持した状態のタオル等ホルダーユニットの斜視図である。
【図５】取付けベースにタオル等ホルダーユニットを複数個取付けた斜視図である。
【符号の説明】
【００２７】  １  タオル
２  タオル等ホルダー本体
２１  ホルダー部
２１１  補助ホルダー部
２２  係止部
２３  表示部
３  マグネット
４  タオル等ホルダー本体
４１  ホルダー部
４２  係止部
４２１  突起部
４３  表示部
４４  模様
４５  突起
５  マグネット
６  タオル等ホルダー本体取付けベース
６１  パイプ枠
６２  パイプ材
６３  孔部
６４  係止用逆Ｕ字状部材
６５  マグネット
６６  ドア
【図１】
0003127131.tif 000003
【図２】
0003127131.tif 000004
【図３】
0003127131.tif 000005
【図４】
0003127131.tif 000006
【図５】
0003127131.tif 000007